【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
印刷されたシートが排紙される排紙部に備えられた扉を開けるための指示を受け付ける受付手段と、
前記受付手段が前記扉を開けるための指示を受け付けたことに応じて、前記印刷されたシートに実行される後処理の動作モードが静音動作モードになるように制御する制御手段とを備えることを特徴とするシート処理装置。
【請求項２】
前記後処理を実行中であるか否かを検知する検知手段を備え、
前記受付手段が前記扉を開けるための指示を受け付け、かつ前記検知手段が前記後処理を実行中であると検知した場合に、前記制御手段は、前記動作モードを前記静音動作モードになるように制御することを特徴とする請求項１記載のシート処理装置。
【請求項３】
前記制御手段は、前記後処理に係る駆動電流の値を制限することで、前記動作モードが前記静音動作モードになるように制御することを特徴とする請求項１または２記載のシート処理装置。
【請求項４】
前記制御手段は、前記後処理に係る駆動電流の供給を停止することで、前記動作モードが前記静音動作モードになるように制御することを特徴とする請求項１または２記載のシート処理装置。
【請求項５】
前記制御手段は、前記後処理を通常時よりも低速で動作させることで、前記動作モードが前記静音動作モードになるように制御することを特徴とする請求項１または２に記載のシート処理装置。
【請求項６】
前記制御手段は、前記後処理の動作を停止させることで、前記動作モードが前記静音動作モードになるように制御することを特徴とする請求項１または２に記載のシート処理装置。
【請求項７】
前記制御手段は、前記扉が閉じられたことに応じて、前記動作モードが通常動作モードになるように制御することを特徴とする請求項１乃至６のいずれかに記載のシート処理装置。
【請求項８】
印刷されたシートが排紙される排紙部に備えられた扉を開けるための指示を受け付ける受付工程と、
前記受付工程で前記扉を開けるための指示を受け付けたことに応じて、前記印刷されたシートに実行される後処理の動作モードが静音動作モードになるように制御する制御工程とを有することを特徴とするシート処理装置の制御方法。
【請求項９】
請求項８記載の制御方法をシート処理装置に実行させるためのコンピュータに読み取り可能なプログラム。
【手続補正２】
【補正対象書類名】明細書
【補正対象項目名】発明の名称
【補正方法】変更
【補正の内容】
【発明の名称】シート処理装置及びその制御方法、並びにプログラム
【手続補正３】
【補正対象書類名】明細書
【補正対象項目名】０００１
【補正方法】変更
【補正の内容】
【０００１】
本発明は、画像形成したシートを処理するシート処理装置及びその制御方法、並びにプログラムに関する。
【手続補正４】
【補正対象書類名】明細書
【補正対象項目名】０００５
【補正方法】変更
【補正の内容】
【０００５】
上記目的を達成するために、請求項１記載のシート処理装置は、印刷されたシートが排紙される排紙部に備えられた扉を開けるための指示を受け付ける受付手段と、前記受付手段が前記扉を開けるための指示を受け付けたことに応じて、前記印刷されたシートに実行される後処理の動作モードが静音動作モードになるように制御する制御手段とを備えることを特徴とする。
【手続補正５】
【補正対象書類名】明細書
【補正対象項目名】０００６
【補正方法】変更
【補正の内容】
【０００６】
請求項８記載のシート処理装置の制御方法は、印刷されたシートが排紙される排紙部に備えられた扉を開けるための指示を受け付ける受付工程と、前記受付工程で前記扉を開けるための指示を受け付けたことに応じて、前記印刷されたシートに実行される後処理の動作モードが静音動作モードになるように制御する制御工程とを有することを特徴とする。
【手続補正６】
【補正対象書類名】明細書
【補正対象項目名】０００７
【補正方法】変更
【補正の内容】
【０００７】
本発明によれば、ユーザが後処理装置の密閉を解除してから排紙トレイにある印刷物を取得するまでの間に他のユーザの印刷ジョブ処理中であっても、印刷物の排紙や後処理に伴って発生する動作音を低減できる印刷環境が構築できる。
【手続補正７】
【補正対象書類名】明細書
【補正対象項目名】００１８
【補正方法】変更
【補正の内容】
【００１８】
プリンタコントローラ２００は、装置本体１００全体の制御部である。プリンタコントローラ２００は、プリンタ部２０５やスキャナ部２０４を始めとする各処理部と電気的に接続されており、各処理部の動作を連携させて制御することで、装置本体１００全体としての機能をユーザに提供する。
【手続補正８】
【補正対象書類名】明細書
【補正対象項目名】００３３
【補正方法】変更
【補正の内容】
【００３３】
通信画像処理は、読み取った画像データを通信性能に合わせて解像度変換、色変換をし、あるいは、通信により受け取った画像データを記録性能に合わせて解像度変換等する処理である。
【手続補正９】
【補正対象書類名】明細書
【補正対象項目名】００４０
【補正方法】変更
【補正の内容】
【００４０】
駆動回路制御部４０１は、中央演算処理装置（ＣＰＵ）５００、制御プログラムを格納する不揮発性メモリ（ＲＯＭ）５０１、制御プログラムを実行する際に一時的にデータを保持する揮発性メモリ（ＲＡＭ）５０２を備える。
【手続補正１０】
【補正対象書類名】明細書
【補正対象項目名】００６４
【補正方法】変更
【補正の内容】
【００６４】
その後、装置本体１００は、図２で説明した画像処理部２０６によって印刷要求に応じた画像データを生成し、トナーカートリッジ２２３を含む電子写真プロセス部２２４によって当該画像データに基づく画像をシートの上面に形成する。その後、定着部２２５によって当該画像をシートの上面に定着（固定）し、シートを後処理装置１０１に排出（排紙）する。
【手続補正１１】
【補正対象書類名】明細書
【補正対象項目名】００７０
【補正方法】変更
【補正の内容】
【００７０】
その後、後処理装置１０１は、搬送部３０１やステープラ３０２のモータ３１１、３１２等を制御して静音動作モードに移行してから、密閉扉３２３の密閉を解除する。
【手続補正１２】
【補正対象書類名】明細書
【補正対象項目名】００９１
【補正方法】変更
【補正の内容】
【００９１】
図５は、図４のＳ１０１で実行される静音動作モード処理のフローチャートである。
【手続補正１３】
【補正対象書類名】明細書
【補正対象項目名】００９２
【補正方法】変更
【補正の内容】
【００９２】
後処理装置コントローラ３００は、電流制限回路４２１を用いて、搬送部３０１の搬送モータ３１１における駆動電流の上限値を制限する（Ｓ２００）。尚、ここで述べる駆動電流の上限値の制限とは、搬送部３０１の搬送モータ３１１に対して、例えば、上限値を通常時の１／２に設定することで低速動作させ、あるいは、上限値をゼロに設定することで一時停止させる制御を意味したものである。
【手続補正１４】
【補正対象書類名】明細書
【補正対象項目名】００９３
【補正方法】変更
【補正の内容】
【００９３】
後処理装置コントローラ３００は、電流制限回路４２２を用いて、ステープラ３０２のステープラモータ３１２における駆動電流の上限値を制限する（Ｓ２０１）。尚、ここで述べる駆動電流の上限値の制限とは、ステープラ３０２のステープラモータ３１２に対して、例えば、上限値を通常時の１／２に設定することで低速動作させ、あるいは、上限値をゼロに設定することで一時停止させる制御を意味したものである。
【手続補正１５】
【補正対象書類名】明細書
【補正対象項目名】００９４
【補正方法】変更
【補正の内容】
【００９４】
図６は、図４のＳ１０６で実行される静音動作モードの解除処理のフローチャートである。
【手続補正１６】
【補正対象書類名】明細書
【補正対象項目名】００９５
【補正方法】変更
【補正の内容】
【００９５】
後処理装置コントローラ３００は、電流制限回路４２１を用いて、搬送部３０１の搬送モータ３１１に対して、図５のＳ２００で制限していた駆動電流の制限を解除する（Ｓ３００）。
【手続補正１７】
【補正対象書類名】明細書
【補正対象項目名】００９６
【補正方法】変更
【補正の内容】
【００９６】
後処理装置コントローラ３００は、電流制限回路４２２を用いて、ステープラ３０２のステープラモータ３１２に対して、図５のＳ２０１で制限していた駆動電流の制限を解除する（Ｓ３０１）。
【手続補正１８】
【補正対象書類名】明細書
【補正対象項目名】０１０２
【補正方法】変更
【補正の内容】
【０１０２】
図７は、図２の画像形成装置（印刷ジョブ検知部５０３を含む）によって実行される後処理制御処理のフローチャートである。後処理装置コントローラ３００は、操作部２０２（または、操作可能な表示部２０３）からの密閉扉３２３の密閉（ロック、施錠）の解除を指示するユーザ入力を待ち（Ｓ４００）、密閉の解除が指示されたならば（ＹＥＳ）、ステップＳ４０１に遷移する。
【手続補正１９】
【補正対象書類名】明細書
【補正対象項目名】０１０３
【補正方法】変更
【補正の内容】
【０１０３】
ステップＳ４０１では、後処理装置コントローラ３００は、印刷ジョブ検知部５０３を用いて、他の印刷要求に応じた印刷ジョブ即ち印字済みのシートに対して排紙及び後処理の動作を行っているか否かを判別する。印刷ジョブを処理中であれば（ＹＥＳ）、ステップＳ４０２に遷移し、印刷ジョブを処理中でなければ（ＮＯ）、ステップＳ４０８に遷移する。
【手続補正２０】
【補正対象書類名】明細書
【補正対象項目名】０１０４
【補正方法】変更
【補正の内容】
【０１０４】
ステップＳ４０２〜Ｓ４０７では、第１の実施の形態に係る画像形成装置によって実行される図４の後処理制御処理のステップＳ１０１〜Ｓ１０６と同様の処理が実行される。
【手続補正２１】
【補正対象書類名】明細書
【補正対象項目名】０１０５
【補正方法】変更
【補正の内容】
【０１０５】
一方、印刷ジョブを処理中でない場合、後処理装置コントローラ３００は、ステップＳ４０８で、密閉駆動回路４０２を用いて、密閉扉３２３の密閉（ロック、施錠）を解除する。
【手続補正２２】
【補正対象書類名】明細書
【補正対象項目名】０１０６
【補正方法】変更
【補正の内容】
【０１０６】
次に、後処理装置コントローラ３００は、開閉検知回路４３３を用いて、閉じられた状態の密閉扉３２３がユーザによって開けられたか否かを判別する（Ｓ４０９）。
【手続補正２３】
【補正対象書類名】明細書
【補正対象項目名】０１０７
【補正方法】変更
【補正の内容】
【０１０７】
具体的には、上記ステータス情報が、オープンに遷移したならば（ＹＥＳ）、ステップＳ４１０に遷移し、クローズのままであれば（ＮＯ）、オープンになるまで待つ。
【手続補正２４】
【補正対象書類名】明細書
【補正対象項目名】０１０８
【補正方法】変更
【補正の内容】
【０１０８】
ステップＳ４１０では、後処理装置コントローラ３００は、開閉検知回路４３３を用いて、開けられた状態の密閉扉３２３がユーザによって閉じられたか否かを判別する。
【手続補正２５】
【補正対象書類名】明細書
【補正対象項目名】０１０９
【補正方法】変更
【補正の内容】
【０１０９】
具体的には、クローズに遷移したならば（ＹＥＳ）、ステップＳ４１１に遷移し、オープンのままであれば（ＮＯ）、クローズになるまで待つ。
【手続補正２６】
【補正対象書類名】明細書
【補正対象項目名】０１１０
【補正方法】変更
【補正の内容】
【０１１０】
ステップＳ４１１では、後処理装置コントローラ３００は、密閉駆動回路４０２を用いて、密閉扉３２３の密閉（ロック、施錠）を実行する。
【手続補正２７】
【補正対象書類名】明細書
【補正対象項目名】０１１１
【補正方法】変更
【補正の内容】
【０１１１】
図８は、図２の画像形成装置（印刷ジョブ検知部５０３を含む）によって実行される後処理制御処理の変形例のフローチャートである。
【手続補正２８】
【補正対象書類名】明細書
【補正対象項目名】０１１２
【補正方法】変更
【補正の内容】
【０１１２】
ステップＳ５００〜Ｓ５０７は、第２の実施の形態に係る画像形成装置によって実行される図７の後処理制御処理のステップＳ４００〜Ｓ４０７と同様の処理が実行されるである。
【手続補正２９】
【補正対象書類名】明細書
【補正対象項目名】０１１３
【補正方法】変更
【補正の内容】
【０１１３】
一方、ステップＳ５０１で印刷ジョブを処理中でない場合、後処理装置コントローラ３００は、ステップＳ５０８で、密閉駆動回路４０２を用いて、密閉扉３２３の密閉（ロック、施錠）を解除する。
【手続補正３０】
【補正対象書類名】明細書
【補正対象項目名】０１１４
【補正方法】変更
【補正の内容】
【０１１４】
次に、後処理装置コントローラ３００は、開閉検知回路４３３を用いて、閉じられた状態の密閉扉３２３がユーザによって開けられたか否かを判別する（Ｓ５０９）。
【手続補正３１】
【補正対象書類名】明細書
【補正対象項目名】０１１５
【補正方法】変更
【補正の内容】
【０１１５】
具体的には、上記ステータス情報が、オープンに遷移したならば（ＹＥＳ）、ステップＳ５１０に遷移し、クローズのままであれば（ＮＯ）、オープンになるまで待つ。
【手続補正３２】
【補正対象書類名】明細書
【補正対象項目名】０１１６
【補正方法】変更
【補正の内容】
【０１１６】
次に、ステップＳ５１０では、後処理装置コントローラ３００は、密閉扉３２３の密閉（ロック、施錠）を解除中に、印刷ジョブ検知部５０３を用いて、新規に他の印刷要求に応じて印字済みのシートに対する排紙及び後処理の動作を開始する要求を検知したか否か判断する。要求を検知した場合は（ＹＥＳ）、ステップＳ５１１に遷移し、検知していなければ（ＮＯ）、ステップＳ５１２に遷移する。
【手続補正３３】
【補正対象書類名】明細書
【補正対象項目名】０１１７
【補正方法】変更
【補正の内容】
【０１１７】
ステップＳ５１１では、後処理装置コントローラ３００は、電流制限回路４２１、４２２を用いて、各装置の駆動電流の上限値を制限しない動作モード（通常動作モード）から、各装置の駆動電流の上限値を制限した動作モード（静音動作モード）に移行する。
【手続補正３４】
【補正対象書類名】明細書
【補正対象項目名】０１１８
【補正方法】変更
【補正の内容】
【０１１８】
次に、後処理装置コントローラ３００は、開閉検知回路４３３を用いて、開けられた状態の密閉扉３２３がユーザによって閉じられたか否かを判別する（Ｓ５１２）。
【手続補正３５】
【補正対象書類名】明細書
【補正対象項目名】０１１９
【補正方法】変更
【補正の内容】
【０１１９】
具体的には、上記ステータス情報が、クローズに遷移したならば（ＹＥＳ）、ステップＳ５１３に遷移し、オープンのままであれば（ＮＯ）、クローズになるまで待つ。
【手続補正３６】
【補正対象書類名】明細書
【補正対象項目名】０１２０
【補正方法】変更
【補正の内容】
【０１２０】
ステップＳ５１３では、後処理装置コントローラ３００は、密閉駆動回路４０２を用いて、密閉扉３２３の密閉（ロック、施錠）を実行する。
【手続補正３７】
【補正対象書類名】明細書
【補正対象項目名】０１２１
【補正方法】変更
【補正の内容】
【０１２１】
後処理装置コントローラ３００は、電流制限回路４２１、４２２を用いて、各装置の駆動電流の上限値を制限した動作モード（静音動作モード）から、各装置の駆動電流の上限値を制限しない動作モード（通常動作モード）に移行する（Ｓ５１４）。
【手続補正３８】
【補正対象書類名】明細書
【補正対象項目名】０１２７
【補正方法】変更
【補正の内容】
【０１２７】
後処理装置コントローラ３００は、操作部２０２（または、操作可能な表示部２０３）からの密閉扉３２３の密閉（ロック、施錠）の解除を指示するユーザ入力を待ち（Ｓ６００）、密閉の解除が指示されたならば（ＹＥＳ）、ステップＳ６０１に遷移する。
【手続補正３９】
【補正対象書類名】明細書
【補正対象項目名】０１２８
【補正方法】変更
【補正の内容】
【０１２８】
ステップＳ６０１では、後処理装置コントローラ３００は、ＣＰＵ５００を用いてＲＡＭ５０２に格納された設定情報を参照し、密閉扉３２３の密閉（ロック、施錠）が解除された際に動作モードとして、静音動作モードを優先するように設定されているか否かを判別する。静音動作モードの優先設定があれば（ＹＥＳ）、ステップＳ６０２に遷移し、静音動作モードの優先設定がなければ（ＮＯ）、ステップＳ６０８に遷移する。
【手続補正４０】
【補正対象書類名】明細書
【補正対象項目名】０１２９
【補正方法】変更
【補正の内容】
【０１２９】
ステップＳ６０２では、後処理装置コントローラ３００は、電流制限回路４２１、４２２を用いて、各装置の駆動電流の上限値を制限しない動作モード（通常動作モード）から、各装置の駆動電流の上限値を制限した動作モード（静音動作モード）に移行する。静音動作モード処理については、別途、図１０を用いてより詳細に説明をする。
【手続補正４１】
【補正対象書類名】明細書
【補正対象項目名】０１３０
【補正方法】変更
【補正の内容】
【０１３０】
次に、ステップＳ６０３では、後処理装置コントローラ３００は、密閉駆動回路４０２を用いて、密閉扉３２３の密閉（ロック、施錠）を解除する。
【手続補正４２】
【補正対象書類名】明細書
【補正対象項目名】０１３１
【補正方法】変更
【補正の内容】
【０１３１】
後処理装置コントローラ３００は、開閉検知回路４３３を用いて、閉じられた状態の密閉扉３２３がユーザによって開けられたか否かを判別する（Ｓ６０４）。
【手続補正４３】
【補正対象書類名】明細書
【補正対象項目名】０１３２
【補正方法】変更
【補正の内容】
【０１３２】
具体的には、上記ステータス情報が、オープンに遷移したならば（ＹＥＳ）、ステップＳ６０５に遷移し、クローズのままであれば（ＮＯ）、オープンになるまで待つ。
【手続補正４４】
【補正対象書類名】明細書
【補正対象項目名】０１３３
【補正方法】変更
【補正の内容】
【０１３３】
ステップＳ６０５では、後処理装置コントローラ３００は、開閉検知回路４３３を用いて、開けられた状態の密閉扉３２３がユーザによって閉じられたか否かを判別する。
【手続補正４５】
【補正対象書類名】明細書
【補正対象項目名】０１３４
【補正方法】変更
【補正の内容】
【０１３４】
具体的には、上記ステータス情報が、クローズに遷移したならば（ＹＥＳ）、ステップＳ６０６に遷移し、オープンのままであれば（ＮＯ）、クローズになるまで待つ。
【手続補正４６】
【補正対象書類名】明細書
【補正対象項目名】０１３５
【補正方法】変更
【補正の内容】
【０１３５】
ステップＳ６０６では、後処理装置コントローラ３００は、密閉駆動回路４０２を用いて、密閉扉３２３の密閉（ロック、施錠）を実行する。
【手続補正４７】
【補正対象書類名】明細書
【補正対象項目名】０１３６
【補正方法】変更
【補正の内容】
【０１３６】
さらに、ステップＳ６０７では、後処理装置コントローラ３００は、電流制限回路４２１、４２２を用いて、各装置の駆動電流の上限値を制限した動作モード（静音動作モード）から、各装置の駆動電流の上限値を制限しない動作モード（通常動作モード）に移行する。静音動作モードの解除（通常動作モードへの移行）については、別途、図１１を用いてより詳細に説明する。
【手続補正４８】
【補正対象書類名】明細書
【補正対象項目名】０１３７
【補正方法】変更
【補正の内容】
【０１３７】
一方、静音動作モードの優先設定がなかった場合（ステップＳ６０１でＮＯ）、ステップＳ６０８で、後処理装置コントローラ３００は、密閉駆動回路４０２を用いて、密閉扉３２３の密閉（ロック、施錠）を解除する。
【手続補正４９】
【補正対象書類名】明細書
【補正対象項目名】０１３８
【補正方法】変更
【補正の内容】
【０１３８】
次に、後処理装置コントローラ３００は、開閉検知回路４３３を用いて、閉じられた状態の密閉扉３２３がユーザによって開けられたか否かを判別する（Ｓ６０９）。
【手続補正５０】
【補正対象書類名】明細書
【補正対象項目名】０１３９
【補正方法】変更
【補正の内容】
【０１３９】
具体的には、上記ステータス情報が、オープンに遷移したならば（ＹＥＳ）、ステップＳ６１０に遷移し、クローズのままであれば（ＮＯ）、オープンになるまで待つ。
【手続補正５１】
【補正対象書類名】明細書
【補正対象項目名】０１４０
【補正方法】変更
【補正の内容】
【０１４０】
ステップＳ６１０では、後処理装置コントローラ３００は、開閉検知回路４３３を用いて、開けられた状態の密閉扉３２３がユーザによって閉じられたか否かを判別する。
【手続補正５２】
【補正対象書類名】明細書
【補正対象項目名】０１４１
【補正方法】変更
【補正の内容】
【０１４１】
具体的には、上記ステータス情報が、クローズに遷移したならば（ＹＥＳ）、ステップＳ６１１に遷移し、オープンのままであれば（ＮＯ）、クローズになるまで待つ。
【手続補正５３】
【補正対象書類名】明細書
【補正対象項目名】０１４２
【補正方法】変更
【補正の内容】
【０１４２】
ステップＳ６１１では、後処理装置コントローラ３００は、密閉駆動回路４０２を用いて、密閉扉３２３の密閉（ロック、施錠）を実行する。
【手続補正５４】
【補正対象書類名】明細書
【補正対象項目名】０１４４
【補正方法】変更
【補正の内容】
【０１４４】
後処理装置コントローラ３００は、ＣＰＵ５００を用いてＲＡＭ５０２に格納された設定情報を参照し、静音動作モードで搬送部３０１やステープラ３０２等の各処理部を動作させる際の駆動電流の設定値を取得する（Ｓ７００）。
【手続補正５５】
【補正対象書類名】明細書
【補正対象項目名】０１４５
【補正方法】変更
【補正の内容】
【０１４５】
次に、後処理装置コントローラ３００は、上記ステップＳ７００で取得した設定値に基づいて、搬送部３０１の搬送モータ３１１における駆動電流の制限の有無を判別する（Ｓ７０１）。制限があれば（ＹＥＳ）、ステップＳ７０２に遷移してからステップＳ７０３に遷移し、制限がなければ（ＮＯ）、直接ステップＳ７０３に遷移する。
【手続補正５６】
【補正対象書類名】明細書
【補正対象項目名】０１４６
【補正方法】変更
【補正の内容】
【０１４６】
ステップＳ７０２では、後処理装置コントローラ３００は、電流制限回路４２１を用いて、搬送部３０１の搬送モータ３１１における駆動電流の上限値を制限する。ここで述べる駆動電流の上限値の制限とは、搬送部３０１の搬送モータ３１１との関連で前述と同じ意味である。
【手続補正５７】
【補正対象書類名】明細書
【補正対象項目名】０１４７
【補正方法】変更
【補正の内容】
【０１４７】
ステップＳ７０３では、後処理装置コントローラ３００は、上記ステップＳ７００で取得した設定値に基づいて、ステープラ３０２のステープラモータ３１２における駆動電流の制限の有無を判別する。制限があれば（ＹＥＳ）、ステップＳ７０４に遷移し、制限がなければ（ＮＯ）、図９のステップＳ６０３に戻る。
【手続補正５８】
【補正対象書類名】明細書
【補正対象項目名】０１４８
【補正方法】変更
【補正の内容】
【０１４８】
ステップＳ７０４では、後処理装置コントローラ３００は、電流制限回路４２２を用いて、ステープラ３０２のステープラモータ３１２における駆動電流の上限値を制限する。ここで述べる駆動電流の上限値の制限とは、ステープラ３０２のステープラモータ３１２との関連で前述したのと同じ意味である。
【手続補正５９】
【補正対象書類名】明細書
【補正対象項目名】０１５０
【補正方法】変更
【補正の内容】
【０１５０】
後処理装置コントローラ３００は、ＣＰＵ５００を用いてＲＡＭ５０２に格納された設定情報を参照し、静音動作モードで搬送部３０１やステープラ３０２等の各処理部を動作させる際の駆動電流の設定値を取得する（Ｓ８００）。
【手続補正６０】
【補正対象書類名】明細書
【補正対象項目名】０１５１
【補正方法】変更
【補正の内容】
【０１５１】
次に、後処理装置コントローラ３００は、ステップＳ８００で取得した設定値に基づいて、搬送部３０１の搬送モータ３１１における駆動電流の制限の有無を判別する（Ｓ８０１）。制限があれば（ＹＥＳ）、ステップＳ８０２に遷移してからステップＳ８０３に遷移し、制限がなければ（ＮＯ）、直接ステップＳ８０３に遷移する。
【手続補正６１】
【補正対象書類名】明細書
【補正対象項目名】０１５２
【補正方法】変更
【補正の内容】
【０１５２】
ステップＳ８０２では、後処理装置コントローラ３００は、電流制限回路４２１を用いて、搬送部３０１の搬送モータ３１１に対して、図１０のステップＳ７０２で制限していた駆動電流の制限を解除する。
【手続補正６２】
【補正対象書類名】明細書
【補正対象項目名】０１５３
【補正方法】変更
【補正の内容】
【０１５３】
ステップＳ８０３では、後処理装置コントローラ３００は、ステップＳ８００で取得した設定値に基づいて、ステープラ３０２のステープラモータ３１２における駆動電流の制限の有無を判別する。設定値があれば（ＹＥＳ）、ステップＳ８０４に遷移し、制限がなければ（ＮＯ）、終了する。
【手続補正６３】
【補正対象書類名】明細書
【補正対象項目名】０１５４
【補正方法】変更
【補正の内容】
【０１５４】
ステップＳ８０４では、後処理装置コントローラ３００は、電流制限回路４２２を用いて、ステープラ３０２のステープラモータ３１２に対して、図１０のステップＳ７０４で制限していた駆動電流の制限を解除する。
【手続補正６４】
【補正対象書類名】明細書
【補正対象項目名】０１５８
【補正方法】変更
【補正の内容】
【０１５８】
図１２は、第４の実施の形態に係る画像形成装置（ユーザ認証部２０８を含む）によって実行される後処理制御処理のフローチャートである。
【手続補正６５】
【補正対象書類名】明細書
【補正対象項目名】０１５９
【補正方法】変更
【補正の内容】
【０１５９】
まず、ステップＳ９００で、プリンタコントローラ２００は、ユーザ認証部２０８を用いてユーザが所持するＩＤカード１５１との間で無線通信を行い、認証可能なＩＤカード１５１を検知しない場合には（ＮＯ）、検知するまで待機する。また、プリンタコントローラ２００は、認証可能なＩＤカード１５１を検知した場合には（ＹＥＳ）、ステップＳ９０１に遷移する。
【手続補正６６】
【補正対象書類名】明細書
【補正対象項目名】０１６０
【補正方法】変更
【補正の内容】
【０１６０】
ステップＳ９０１では、プリンタコントローラ２００は、ユーザ認証部２０８を用いてユーザが所持するＩＤカード１５１からユーザ情報を取得する。
【手続補正６７】
【補正対象書類名】明細書
【補正対象項目名】０１６１
【補正方法】変更
【補正の内容】
【０１６１】
次に、プリンタコントローラ２００は、ユーザ認証部２０８を用いてユーザが所持するＩＤカード１５１から取得したユーザ情報と、メモリ部２０７に格納されたユーザ情報とを照合して、当該ユーザが予め登録済みのユーザであるか否かを判定する（Ｓ９０２）。プリンタコントローラ２００は、このことによってユーザ認証を行う。ユーザが認証された場合には（ＹＥＳ）、ステップＳ９０３に遷移し、ユーザが認証されない場合には（ＮＯ）、ステップＳ９００に戻る。
【手続補正６８】
【補正対象書類名】明細書
【補正対象項目名】０１６２
【補正方法】変更
【補正の内容】
【０１６２】
ステップＳ９０３〜Ｓ９０８では、第１の実施の形態に係る画像形成装置によって実行される図４の後処理制御処理のステップＳ１０１〜Ｓ１０６と同様の処理が行われる。